(57)【要約】【課題】  結合可能なプラグとソケットとからなり、結合時には、内部に液体が流れる液体用カプラに関し、カプラのプラグとソケットとの結合、取り外しが容易で、取り外し時の液漏れを防止できるカプラを提供することを課題とする。【解決手段】  基端部側がプラグ１０３の外周面に設けられ、自然状態では、先端部側が結合するソケット１０５方向に延出する筒状で弾性を有する第１吸水部材１５１と、基端部側がソケット１０５の外周面に設けられ、自然状態では、先端部側が結合するプラグ１０３方向に延出する筒状で弾性を有し、プラグ１０３とソケット１０５とが結合すると、第１吸水部材１５１の先端面とその先端面とが当接する第２吸水部材１７１とを設ける。【選択図】          図１
2005337418.tif 000002
【特許請求の範囲】
【請求項１】
結合可能なプラグとソケットとからなり、結合時には、内部に液体が流れる液体用カプラにおいて、
基端部側が前記プラグの外周面に設けられ、自然状態では、先端部側が結合する前記ソケット方向に延出する筒状で弾性を有する第１吸水部材と、
基端部側が前記ソケットの外周面に設けられ、自然状態では、先端部側が結合する前記プラグ方向に延出する筒状で弾性を有し、前記プラグと前記ソケットとが結合すると、前記第１吸水部材の先端面と当接する先端面を有する第２吸水部材と、
を有することを特徴とする液体用カプラ。
【請求項２】
結合可能なプラグとソケットとからなり、結合時には、内部で液体が流れる液体用カプラにおいて、
前記プラグ、前記ソケットのうちのどちらか一方の外周面に基端部側が設けられ、先端部側が結合する相手側に延出し、結合する相手側が内部に挿入可能な筒状の吸水部材を設けたことを特徴とする液体用カプラ。
【請求項３】
前記吸水部材は、透明であることを特徴とする請求項１又は２記載の液体用カプラ。
【発明の詳細な説明】
【技術分野】
【０００１】
本発明は、結合可能なプラグとソケットとからなり、結合時には、内部に液体が流れる液体用カプラに関する。
【背景技術】
【０００２】
図３を用いて液体用カプラの構成を説明する。図３（ａ）はプラグとソケットとが結合した状態、図３（ｂ）はプラグとソケットとを取り外した状態を示している。図３（ｂ）に示すように、カプラ１は、結合可能なプラグ３とソケット５とからなっている。ソケット５には、プラグ３との結合時にプラグ３の外周面を覆うように形成された筒部７が形成されている。プラグ３のソケット５に対する接続面３ａには穴３ｂが形成され、ソケット５のプラグ３に対する接続面５ａには、プラグ３の穴３ｂに対向する穴５ｂが形成され、プラグ３とソケット５とが結合した場合、これらの穴３ｂ、穴５ｂを介して液体が流れるようになっている。
【０００３】
又、プラグ３には、ソケット５と結合していない時に、穴３ｂからの液体の漏出を防止するバルブ機構９が設けられている。このバルブ機構９は、プラグ３内に設けられ、穴３ｂを塞ぐことが可能な円錐台状の弁体１１と、この弁体１１を穴３ｂを塞ぐ方向に付勢するスプリング１３とからなっている。
【０００４】
同様に、ソケット５には、プラグ３と結合していない時に、穴５ｂからの液体の漏出を防止するバルブ機構１５が設けられている。このバルブ機構１５は、ソケット５内に設けられ、穴５ｂを塞ぐことが可能な円錐台状の弁体１７と、この弁体１７を穴５ｂを塞ぐ方向に付勢するスプリング１９とからなっている。
【０００５】
プラグ３のバルブ機構９の弁体１１と、ソケット５のバルブ機構１５の弁体１７とには、非結合時に、接続面３ａ、接続面５ａより突出する突出部１１ａ、突出部１７ａが形成されている。
【０００６】
そして、図３（ａ）に示すように、プラグ３とソケット５とを結合させると、突出部１１ａと突出部１７ａとが当接し、スプリング１３、スプリング１９の付勢力に抗して、弁体１１、弁体１７が後退し、バルブ機構９、バルブ機構１５が開かれるようになっている。
【０００７】
このような構成の液体用のカプラ１のプラグ３とソケット５とを取り外す際には、バルブ機構９、バルブ機構１５により、プラグ３の弁体１１がスプリング１３の付勢力により穴３ｂを塞ぎ、ソケット５の弁体１７がスプリング１９の付勢力により穴５ｂを塞ぐが、弁体１１、弁体１７間に残っている液体Ｌ（図３（ａ）参照）が外部に漏れる場合がある。
【０００８】
特に、電子機器の冷却配管中にこのようなカプラを設けた場合、保守、部品交換等でカプラのプラグとソケットとを取り外す際に、液が漏れると、電子部品に漏れた液体が付着し、ショート等の部品障害を引き起こす。
【０００９】
このような構成の液体用のカプラ１からの液漏れ防止手段として、カプラを囲むケースを設け、ケースの内側に吸水部材を配置することが提案されている（例えば、特許文献１参照。）。
【特許文献１】特開平７−３５４５３号公報（図１、図２）
【発明の開示】
【発明が解決しようとする課題】
【００１０】
しかし、特許文献１記載の構造では、カプラ全体を一体化されたケースで囲むために、カプラのプラグとソケットとの結合、取り外しが面倒であるという問題点がある。
本発明は、上記問題点に鑑みてなされたもので、その課題は、カプラのプラグとソケットとの結合、取り外しが容易で、取り外し時の液漏れを防止できるカプラを提供することにある。
【課題を解決するための手段】
【００１１】
上記課題を解決する請求項１に係る発明は、結合可能なプラグとソケットとからなり、結合時には、内部に液体が流れる液体用カプラにおいて、基端部側が前記プラグの外周面に設けられ、自然状態では、先端部側が結合する前記ソケット方向に延出する筒状で弾性を有する第１吸水部材と、基端部側が前記ソケットの外周面に設けられ、自然状態では、先端部側が結合する前記プラグ方向に延出する筒状で弾性を有し、前記プラグと前記ソケットとが結合すると、前記第１吸水部材の先端面と当接する先端面を有する第２吸水部材とを有することを特徴とする液体用カプラである。
【００１２】
カプラのプラグとソケットとを結合させると、プラグの第１吸水部材の先端面とソケットの第２吸水部材の先端面とが当接し、第１吸水部材と、第２吸水部材とは弾性変形する。
【００１３】
次に、結合状態にあるプラグとソケットとを取り外すと、第１吸水部材と第２吸水部材とは自然状態に復帰する。
請求項２に係る発明は、結合可能なプラグとソケットとからなり、結合時には、内部で液体が流れる液体用カプラにおいて、前記プラグ、前記ソケットのうちのどちらか一方の外周面に基端部側が設けられ、先端部側が結合する相手側に延出し、結合する相手側が内部に挿入可能な筒状の吸水部材を設けたことを特徴とする液体用カプラである。
【００１４】
カプラのプラグとソケットとを結合させると、プラグ、ソケットのうち吸水部材が設けられていない方が筒状の吸水部材内に挿入される。
次に、結合状態にあるプラグとソケットとを取り外すと、プラグ、ソケットのうち吸水部材が設けられていない方が筒状の吸水部材の内部を通りながら取り外される。
【００１５】
請求項３に係る発明は、前記吸水部材は、透明であることを特徴とする請求項１又は２記載の液体用カプラである。
尚、請求項１から請求項３に係る発明の吸水部材としては、スポンジ等の多孔質の材料、又、高分子吸水材が内壁面に設けられた弾性材等があるが、限定するものではなく、液体に応じて選定することが望ましい。
【発明の効果】
【００１６】
請求項１、請求項３に係る発明によれば、プラグとソケットとが結合状態にあると、プラグの第１吸水部材の先端面とソケットの第２吸水部材の先端面とが当接し、第１吸水部材と、第２吸水部材とは弾性変形している。
【００１７】
プラグとソケットとを取り外す際に、プラグとソケットとの取り外し直後から取り外し完了までのプラグとソケットとの移動に追従して、第１吸水部材と第２吸水部材とが自然状態に復帰する。
【００１８】
従って、プラグとソケットとを取り外す際に漏れた液体は、第１吸水部材、第２吸水部材に吸収される。
更に、プラグとソケットとの結合、取り外し動作は、通常のカプラと同じであるので、カプラのプラグとソケットとの結合、取り外しが容易である。
【００１９】
請求項２、請求項３に係る発明によれば、プラグとソケットとが結合状態にあると、プラグ、ソケットのうち吸水部材が設けられていない方が筒状の吸水部材内に挿入されている。
【００２０】
プラグとソケットとを取り外す際に、プラグとソケットとの取り外し直後から取り外し完了までの間、プラグ、ソケットのうち吸水部材が設けられていない方は吸水部材の内部にあるので、プラグ、ソケットから漏れた液体は、吸水部材に吸収される。
【００２１】
更に、プラグとソケットとの結合、取り外し動作は、通常のカプラと同じであるので、カプラのプラグとソケットとの結合、取り外しが容易である。
請求項３に係る発明によれば、吸水部材は、透明であることにより、プラグとソケットとの結合、取り外し動作が更に容易となる。
【発明を実施するための最良の形態】
【００２２】
（第１形態例：請求項１、請求項３に対応）
図１を用いて第１形態例の液体用カプラを説明する。図１（ａ）はプラグとソケットとが結合した状態、図１（ｂ）はプラグとソケットとを取り外した状態を示している。図１（ｂ）に示すように、カプラ１は、結合可能なプラグ１０３とソケット１０５とからなっている。ソケット１０５には、プラグ１０３との結合時にプラグ１０３の外周面を覆うように形成された筒部１０７が形成されている。プラグ１０３のソケット１０５に対する接続面１０３ａには穴１０３ｂが形成され、ソケット１０５のプラグ１０３に対する接続面１０５ａには、プラグ１０３の穴１０３ｂに対向する穴１０５ｂが形成され、プラグ１０３とソケット１０５とが結合した場合、これらの穴１０３ｂ、穴１０５ｂを介して液体が流れるようになっている。
【００２３】
又、プラグ１０３には、ソケット１０５と結合していない時に、穴１０３ｂからの液体の漏出を防止するバルブ機構１０９が設けられている。このバルブ機構１０９は、プラグ１０３内に設けられ、穴１０３ｂを塞ぐことが可能な円錐台状の弁体１１１と、この弁体１１１を穴１０３ｂを塞ぐ方向に付勢するスプリング１１３とからなっている。
【００２４】
同様に、ソケット１０５には、プラグ１０３と結合していない時に、穴１０５ｂからの液体の漏出を防止するバルブ機構１１５が設けられている。このバルブ機構１１５は、ソケット１０５内に設けられ、穴１０５ｂを塞ぐことが可能な円錐台状の弁体１１７と、この弁体１１７を穴１０５ｂを塞ぐ方向に付勢するスプリング１１９とからなっている。
【００２５】
プラグ１０３のバルブ機構１０９の弁体１１１と、ソケット１０５のバルブ機構１１５の弁体１１７とには、非結合時に、接続面１０３ａ、接続面１０５ａより突出する突出部１１１ａ、突出部１１７ａが形成されている。
【００２６】
そして、図１（ａ）に示すように、プラグ１０３とソケット１０５とを結合させると、突出部１１１ａと突出部１１７ａとが当接し、スプリング１１３、スプリング１１９の付勢力に抗して、穴１０３ｂを塞いでいた弁体１１１、穴１０５ｂを塞いでいた弁体１１７が後退し、バルブ機構１０９、バルブ機構１１５が開かれるようになっている。
【００２７】
本形態例では、プラグ１０３には第１吸水部材１５１を、ソケット１０５には第２吸水部材１７１を設けた。第１吸水部材１５１は、基端部側がプラグ１０３の外周面に設けられ、自然状態（図１（ｂ）参照）では、先端部側がソケット１０５方向に延出する筒状で弾性を有している。第２吸水部材１７１は、基端部側がソケット１０５の外周面に設けられ、自然状態では、先端部側がプラグ１０３方向に延出する筒状で弾性を有し、プラグ１０３とソケット１０５とが結合すると、先端面が第１吸水部材１５１の先端面と当接するようになっている（図１（ａ）参照）。
【００２８】
尚、第１吸水部材１５１、第２吸水部材１７１としては、スポンジ等の多孔質の材料、又、高分子吸水材が内壁面に設けられた弾性材等があるが、限定するものではなく、液体に応じて選定される。
【００２９】
又、本形態例では、第１吸水部材１５１、第２吸水部材１７１は透明な部材を選定した。
次に、上記構成の作動を説明する。カプラ１０１のプラグ１０３とソケット１０５とを結合させると、プラグ１０３の第１吸水部材１５１の先端面とソケット１０５の第２吸水部材１７１の先端面とが当接し、図１（ａ）に示すように、第１吸水部材１５１と、第２吸水部材１７１とは弾性変形する。
【００３０】
次に、結合状態にあるプラグ１０３とソケット１０５とを取り外すと、第１吸水部材１５１と第２吸水部材１７１とは自然状態に復帰する。
上記構成によれば、プラグ１０３とソケット１０３とを取り外す際に、プラグ１０３とソケット１０５との取り外し直後から取り外し完了までのプラグ１０３とソケット１０５との移動に追従して、第１吸水部材１５１と第２吸水部材１７１とは自然状態に復帰する。
【００３１】
従って、プラグ１０３とソケット１０５とを取り外す際に漏れた液体は、第１吸水部材１５１、第２吸水部材１７１に吸収される。
更に、プラグ１０３とソケット１０５との結合、取り外し動作は、通常のカプラと同じであるので、カプラのプラグとソケットとの結合、取り外しが容易である。
【００３２】
又、第１吸水部材１５１、第２吸水部材１７１は、透明であることにより、プラグ１０３とソケット１０３との結合、取り外し動作が更に容易となる。
（第２形態例：請求項２、請求項３に対応）
図２を用いて第２形態例の液体用カプラを説明する。図２（ａ）はプラグとソケットとが結合した状態、図２（ｂ）はプラグとソケットとを取り外した状態を示している。尚、本形態例のプラグとソケットとは第１形態例と同一なので、同一部分には、同一符号を重複する説明は省略する。
【００３３】
本形態例では、ソケット１０５に吸水部材２０１を設けた。吸水部材２０１は、基端部側がソケット１０５に設けられ、先端部側が結合する相手側であるプラグ１０３側に延出し、結合する相手側であるプラグ１０３が内部に挿入可能な筒状である（図２（ｂ）参照）。
【００３４】
尚、吸水部材２０１としては、スポンジ等の多孔質の材料、又、高分子吸水材が内壁面に設けられた弾性材等があるが、限定するものではなく、液体に応じて選定される。更に、弾性体に限定するものではなく、筒状で吸水性能を有すれば剛体であってもよい。
【００３５】
又、本形態例では、吸水部材２０１は透明な部材を選定した。
次に、上記構成の作動を説明する。カプラ１０１のプラグ１０３とソケット１０５とを結合させると、プラグ１０３、ソケット１０５のうち吸水部材２０１が設けられていない方であるプラグ１０３が筒状の吸水部材２０１内に挿入される。
【００３６】
次に、結合状態にあるプラグ１０３とソケット１０５とを取り外すと、プラグ１０３、ソケット１０５のうち吸水部材２０１が設けられていない方であるプラグ１０３が筒状の吸水部材２０１の内部を通りながら取り外される。
【００３７】
上記構成によれば、プラグ１０３とソケット１０５とを取り外す際に、プラグ１０３とソケット１０５との取り外し直後から取り外し完了までの間、プラグ１０３、ソケット１０５のうち吸水部材２０１が設けられていない方であるプラグ１０３は吸水部材２０１の内部にあるので、プラグ１０３、ソケット１０５から漏れた液体は、吸水部材２０１に吸収される。
【００３８】
更に、プラグ１０３とソケット１０５との結合、取り外し動作は、通常のカプラと同じであるので、カプラのプラグ１０３とソケット１０５との結合、取り外しが容易である。
又、吸水部材２０１は、透明であることにより、プラグ１０３とソケット１０３との結合、取り外し動作が更に容易となる。
【００３９】
尚、本発明は、上記形態例に限定するものではない。上記形態例では、吸水部材２０１をソケット１０５に設けたが、プラグ１０３に設けても良い。
【図面の簡単な説明】
【００４０】
【図１】第１形態例を説明する図である。
【図２】第２形態例を説明する図である。
【図３】従来の液体用カプラを説明する図である。
【符号の説明】
【００４１】
１０１  カプラ
１０３  プラグ
１０５  ソケット
１５１  第１吸水部材
１７１  第２吸水部材
【図１】
2005337418.tif 000003
【図２】
2005337418.tif 000004
【図３】
2005337418.tif 000005